(57)【要約】【課題】  従来、ＵＶ硬化性塗料用塗装ブースでは、大量に余剰の霧状の塗料ミストが発生しており、頻繁に洗浄する等の処理を必要としており、その処理は人力による多大な手間暇と労働力を要していた。【解決手段】  塗装ブース１の天井に設けた給気手段３と、給気手段３の近傍に垂設させた上方気流制御板４と、上方気流制御板４の下辺との間に間隔を有して敷設された下方邪魔板５と、下方邪魔板５の端辺に側面７ａを密着させ上方気流制御板４との間に通気路６を設けると共にミスト含有排気が流通するように配設した塗料ミスト捕集手段７と、塗料ミスト捕集手段７に設けた紫外線照射手段８と、紫外線照射手段８の下方に張設したフィルター９と、フィルター９の下方に配設した塗料ミスト収集手段１０と、を備えたものである。【選択図】  図１
2006102732.tif 000002
【特許請求の範囲】
【請求項１】
床面に立設した塗装台の上面に取着された被塗装物に塗装ガンでＵＶ硬化性塗料を噴霧して塗装をする塗装ブースにおいて、前記塗装ブースの天井に設けた外気を取り入れ送風するための給気手段と、該給気手段の近傍の天井に垂設させた若干巾の上方気流制御板と、該上方気流制御板の下辺との間に間隔を有して敷設された下方邪魔板と、該下方邪魔板の端辺に側面を密着させ前記上方気流制御板との間に通気路を設けると共に上方から下方にミスト含有排気が流通するように配設した塗料ミスト捕集手段と、該塗料ミスト捕集手段の上方中央に設けた紫外線照射手段と、該紫外線照射手段の下方に張設したフィルターと、該フィルターの下方に配設した塗料ミスト収集手段と、を備えたことを特徴とするＵＶ硬化性塗料用塗装ブース。
【発明の詳細な説明】
【技術分野】
【０００１】  本発明はＵＶ硬化性塗料用塗装ブースに関するものであり、更に詳細には、被塗装物を塗装台に取着して塗装ガンでＵＶ硬化性塗料を噴霧して塗装をする際に多量に発生する塗料ミストを捕集して纏めて処理すると共に、浄化された空気を放出するためのＵＶ硬化性塗料用塗装ブースに関するものである。
【背景技術】
【０００２】  従来、この種の塗装ガンを用いてＵＶ硬化性塗料を噴霧させて塗装するＵＶ硬化性塗料用塗装ブースでは、被塗装物及び周辺に広範囲にＵＶ硬化性塗料を噴霧させて塗装するため大量に余剰の霧状の塗料ミストが発生しており、頻繁に洗浄する等の処理を必要としており、その処理は人力による多大な手間暇と労働力を要していた。【０００３】  つまり、塗装ガンで噴霧され霧化されたＵＶ硬化性塗料の２０〜３０％が有効に使用され、後はミスト処理装置によって処理されているものであり、例えば、スプレーブースとその垂直面の下部に設けられた水槽とよりなり、一定間隔ごとに多数の細孔を設けた部分を有する合成樹脂フィルムをスプレーブースの金属垂直面亘ってはりつけそのフィルムの下部は水槽中に延びて水槽の端部に取付けられ、フィルムの細孔がない部分がスプレーブースの金属垂直部分を覆いかつ有孔部分が水中に浸漬する様にフィルムを装着し、スプレーブースの上部にあるノズルにより水をフィルム面に沿って滴下させるもの（特許文献１参照）や、塗装ブースの塗料ミストを処理する処理塔に排気ファンの騒音を吸音・遮音する吸音材を付設するもので、塗装ブースの処理塔の内部壁面に吸音材を付設、あるいは排気ファンの吸引口であるファン穴に内面に吸音材を付設した筒を配設し、さらには吸音材を付設した遮音板をファン穴の下に配設するもの（特許文献２参照）等が開示されている。
【特許文献１】実告昭４７−３５２６２号公報
【特許文献２】特開２００１−２３９１９４号公報
【発明の開示】
【発明が解決しようとする課題】
【０００４】  然し乍ら、スプレーブースとその垂直面の下部に設けられた水槽とよりなり、一定間隔ごとに多数の細孔を設けた部分を有する合成樹脂フィルムをスプレーブースの金属垂直面亘ってはりつけそのフィルムの下部は水槽中に延びて水槽の端部に取付けられ、フィルムの細孔がない部分がスプレーブースの金属垂直部分を覆いかつ有孔部分が水中に浸漬する様にフィルムを装着し、スプレーブースの上部にあるノズルにより水をフィルム面に沿って滴下させるものは、ウオーター方式と呼ばれるものであり、捕集された塗料ミストは水と混ざり合い餅状に成って壁面や水槽に付着してしまい、この餅状の塗料ミストは大量に水分を含んでいるため、体積が塗料の５〜１０倍になり、水の流れを悪くしたり、捕集効率を下げるため頻繁に清掃が必要となり、この清掃が重労働で汚れる作業となるため厄介な業務と成っていた。【０００５】  また、塗装ブースの塗料ミストを処理する処理塔に排気ファンの騒音を吸音・遮音する吸音材を付設するもので、塗装ブースの処理塔の内部壁面に吸音材を付設、あるいは排気ファンの吸引口であるファン穴に内面に吸音材を付設した筒を配設し、さらには吸音材を付設した遮音板をファン穴の下に配設するものは、ドライブース方式と称され、塗料ミスト捕集部材に捕集された塗料ミストは目詰まりを起こすために頻繁に清掃する必要があり、前述と同様な課題を有しているものである。
【課題を解決するための手段】
【０００６】  前述の課題に鑑み、鋭意研鑽の結果、本発明のＵＶ硬化性塗料用塗装ブースは、床面に立設した塗装台に取着された被塗装物に塗装ガンでＵＶ硬化性塗料を噴霧して塗装をする塗装ブースにおいて、塗装ブースの天井に設けた給気手段と、給気手段の近傍に垂設させた上方気流制御板と、上方気流制御板との間に間隔を有して敷設された下方邪魔板と、下方邪魔板と側面を密着させ上方気流制御板との間に通気路を設けると共にミスト含有排気が流通するように配設した塗料ミスト捕集手段と、塗料ミスト捕集手段に設けた紫外線照射手段と、紫外線照射手段の下方に張設したフィルターと、フィルターの下方に配設した塗料ミスト収集手段と、を備えたものである。
【発明の効果】
【０００７】  本発明のＵＶ硬化性塗料用塗装ブースは、通気路を設けると共に、塗料ミスト捕集手段に紫外線照射手段を設け、紫外線照射手段の下方にフィルターを張設し、フィルターの下方に塗料ミスト収集手段を配設したため、排気ガスに含有する塗料ミストは紫外線照射手段により紫外線を照射されて塗料ミストは固化して粉末状となりフィルターにより濾過され、フィルターと塗料ミスト収集手段に高効率で収集されるもので、フィルター及び塗料ミスト収集手段に収集された粉末状の塗料ミストを処理するのみで、メンテナンスフリーと成り重労働から解放されるものであり、極めて実用性の高い発明である。
【発明を実施するための最良の形態】
【０００８】  本発明はＵＶ硬化性塗料用塗装ブースに関するものであり、更に詳細には、被塗装物を塗装台に取着して塗装ガンでＵＶ硬化性塗料を噴霧して塗装をする際に多量に発生する塗料ミストを捕集して纏めて処理すると共に、浄化された空気を放出するためのＵＶ硬化性塗料用塗装ブースに関するものであり、床面１ａに立設した塗装台２の上面に取着された被塗装物Ａに塗装ガンＢでＵＶ硬化性塗料を噴霧して塗装をする塗装ブース１において、前記塗装ブース１の天井に設けた外気を取り入れ送風するための給気手段３と、該給気手段３の近傍の天井に垂設させた若干巾の上方気流制御板４と、該上方気流制御板４の下辺との間に間隔を有して敷設された下方邪魔板５と、該下方邪魔板５の端辺に側面７ａを密着させ前記上方気流制御板４との間に通気路６を設けると共に上方から下方にミスト含有排気が流通するように配設した塗料ミスト捕集手段７と、該塗料ミスト捕集手段７の上方中央に設けた紫外線照射手段８と、該紫外線照射手段８の下方に張設したフィルター９と、該フィルター９の下方に配設した塗料ミスト収集手段１０と、を備えたものである。
【実施例】
【０００９】  以下、本発明のＵＶ硬化性塗料用塗装ブースの実施例の図面を用いて詳細に説明すると、図１は本発明のＵＶ硬化性塗料用塗装ブースの実施例の概要を説明するための正面説明図であり、図２は本発明のＵＶ硬化性塗料用塗装ブースの実施例の概要を説明するための側面説明図である。【００１０】  即ち、本発明のＵＶ硬化性塗料用塗装ブースは、図１に図示する如く、函状のケーシングに囲まれた塗装ブース１であり、床面１ａから回転可能に立設した塗装台２に取着された、例えば、モバイル機器、化粧品容器、電化製品や自動車等のパーツ等の複数の被塗装物Ａに塗装ガンＢでＡＢＳ樹脂等のＵＶ硬化性塗料を噴霧して、アンダーコートやトップコート等の塗装をするものである。【００１１】  そして、給気手段３は塗装ブース１の天井に設けられ送風チャンバー３ａと、該送風チャンバー３ａの上方に設けられた送風機３ｂとから成り、送風機３ｂは外気を取り入れ送風チャンバー３ａから下方に外気を送風させるものであり、下方に位置する塗装台２では被塗装物Ａが塗装ガンＢでＵＶ硬化性塗料を噴霧され塗装されており、余剰の塗料ミストは送風チャンバー３ａからの外気と混和して後述する通気路６に送風されるものである。【００１２】  次に、上方気流制御板４は給気手段３の近傍の天井から下方に垂下させているもので、上方辺は天井に密着させ下方辺の下方には後述する敷設された下方邪魔板５との間に間隔を有している若干巾のもので、後述する通気路６を形成するものである。【００１３】  次いで、下方邪魔板５は床面１ａに平行に間隔を有して敷設されているもので、被塗装物Ａを取着した塗装台２の下辺りに敷設され、下方には後述する塗料ミスト収集手段１０と同様な塗料ミスト収集手段１０を設けており、下方邪魔板５に付着した塗料ミストは塗料ミスト収集手段１０に収集されるものである。【００１４】  更に、塗料ミスト捕集手段７は下方邪魔板５の端辺と側面７ａとを密着させているもので、該側面７ａと下方邪魔板５と上方気流制御板４との間で通気路６を設けるように配設されると共に、該通気路６を通過する給気手段３からの外気と塗装ガンＢから噴霧された余剰の塗料ミストが混和したミスト含有排気が下方から上方に塗料ミスト捕集手段７の側面７ａと上方気流制御板４の間を流通するように配設しているものである。【００１５】  更には、紫外線照射手段８は塗料ミスト捕集手段７の上方中央に設けており、ミスト含有排気は上方から通路を通過する際に紫外線照射手段８の紫外線ランプ８ａにより紫外線を照射されるものであり、通路は狭められ紫外線の照射が万遍なく、且つ、効率的に照射されるようにしており、紫外線の照射によりミスト含有排気の塗料ミストは粉末状に固化するものである。【００１６】  そして、フィルター９は紫外線照射手段８の下方に張設しており、通過するミスト含有排気の状態により目の粗さ、及び、積層する枚数を調整して固化した塗料ミストを濾過するものである。【００１７】  更に、塗料ミスト収集手段１０は塗料ミスト捕集手段７の下方に配設され、紫外線照射手段８の紫外線ランプ８ａにより紫外線を照射され粉末状に固化した塗料ミストの落下を受け止める漏斗状の受け皿１０ａと、該受け皿１０ａからの塗料ミストを貯留する塗料ミスト収集容器１０ｂから成るものである。【００１８】  つまり、本発明のＵＶ硬化性塗料用塗装ブースは、塗装ブース１に内装された塗装台２に取着された被塗装物ＡにＵＶ硬化性塗料を塗装ガンＢで噴霧すると、大半の余剰のＵＶ硬化性塗料は塗料ミストと成り空間に放出されるものであるが、塗装ブース１の天井に設けた給気手段３により外気が送風されミスト含有排気と成るものである。【００１９】  次いで、ミスト含有排気は下方邪魔板５と塗料ミスト捕集手段７の側面７ａと上方気流制御板４との間に形成された通気路６を通り、塗料ミスト捕集手段７の上方に送られるものである。【００２０】  次に、塗料ミスト捕集手段７の上方に送られたミスト含有排気は狭められた通路を通過する時に紫外線照射手段８の紫外線ランプ８ａにより紫外線を照射されるもので、ミスト含有排気のＵＶ硬化性の塗料は材料特性により固化して粉末状に成るものである。【００２１】  次いで、塗料ミストを含んだミスト含有排気は下方に配設されたフィルター９を通過するものであるが、塗料ミストは固化されて粉末状に成っており、フィルター９により濾過され浄化されたガスは周りより排出されるものである。【００２２】  一方、フィルター９に付着した塗料ミストは粉末状であり取り外して叩き落とす又は掃除機で吸引することで容易に処理でき、塗料ミスト収集手段１０の受け皿１０ａに落下し、受け皿１０ａから塗料ミスト収集容器１０ｂに貯留されもので、適宜、塗料ミスト収集容器１０ｂを取り出して処理するものである。
【産業上の利用可能性】
【００２３】  本発明のＵＶ硬化性塗料用塗装ブースの塗料ミストは紫外線を照射され粉末状の塗料ミストはフィルターと塗料ミスト収集手段とにより分離され収集されるもので、フィルター又は塗料ミスト収集手段に収集された塗料ミストを処理するのみで、メンテナンスフリーと成るものである。
【図面の簡単な説明】
【００２４】
【図１】  図１は本発明のＵＶ硬化性塗料用塗装ブースの実施例の概要を説明するための正面説明図である。
【図２】  図２は本発明のＵＶ硬化性塗料用塗装ブースの実施例の概要を説明するための側面説明図である。
【符号の説明】
【００２５】  Ａ      被塗装物
Ｂ      塗装ガン
１      塗装ブース
１ａ    床面
２      塗装台
３      給気手段
３ａ    送風チャンバー
３ｂ    送風機
４      上方気流制御板
５      下方邪魔板
６      通気路
７      塗料ミスト捕集手段
７ａ    側面
８      紫外線照射手段
８ａ    紫外線ランプ
９      フィルター
１０    塗料ミスト収集手段
１０ａ  受け皿
１０ｂ  塗料ミスト収集容器
【図１】
2006102732.tif 000003
【図２】
2006102732.tif 000004